(57)【要約】【課題】プッシャー型遊戯装置において、景品が貯留された景品貯留部に繋がれて固定テーブル上に載置される錘部材が固定テーブルから落下し易そうな印象、或いは固定テーブル上を移動し易そうな印象をプレーヤに与えること。【解決手段】プッシャー型遊戯装置の固定テーブルに載置され、従来の錘部材として用いられる回転移動体１００は、２枚の円板１１０それぞれの対向面に固定された、対向する２本の細管１２０に連結紐１４０が通されることで、遊びを持って連結されている。また、２枚の円板１１０の間に、対向する細管１２０それぞれが両端から内挿された３本の筒体１３０が配置されている。【選択図】図４
2007215664.tif 000002
【特許請求の範囲】
【請求項１】
プッシャー型遊戯装置の景品貯留部の係止部に繋がれて固定テーブル上に載置され、押し出されて該固定テーブルから落下することにより、落下による重力が前記係止部に伝達されて前記係止部の係止を解き、前記景品貯留部に貯留されていた景品を落下させる回転移動体であって、
複数の回転体と、
前記複数の回転体を互いに連結する紐、ゴム又はコイルバネで成る連結部材と、
を備え、前記複数の回転体が互いに作用し合いながら回転することで前記固定テーブル上を回転移動する回転移動体。
【請求項２】
請求項１に記載の回転移動体であって、
前記連結部材に懸架された揺動物体を備えた回転移動体。
【請求項３】
請求項１又は２に記載の回転移動体であって、
前記回転体同士の所定距離内の接近を規制する規制部材を備えた回転移動体。
【請求項４】
請求項３に記載の回転移動体であって、
前記規制部材は筒体で成り、
前記規制部材に前記連結部材が内挿され、前記回転体間に前記規制部材が位置することで前記回転体同士の接近が規制される回転移動体。
【請求項５】
請求項３又は４に記載の回転移動体であって、
前記規制部材は筒体で成り、
前記回転体それぞれの対向面に設けられ、前記規制部材に内挿された棒状部材を備え、
前記棒状部材は、前記連結部材が伸張した状態であっても少なくとも一部が前記規制部材から外れない長さで成る回転移動体。
【請求項６】
請求項５に記載の回転移動体であって、
筒体である前記規制部材は、内径が、前記対向面の前記棒状部材の設置位置から当該対向面の端部までの最短距離より長い大きさで成る回転移動体。
【請求項７】
請求項１〜６の何れか一項に記載の回転移動体であって、
前記回転体は、平面視円状又は多角形状の板体である回転移動体。
【請求項８】
所定の景品貯留部と、
前記景品貯留部の係止部に繋がれ、固定テーブル上に載置された請求項１〜７の何れか一項に記載の回転移動体と、
を備えたプッシャー型遊戯装置。
【発明の詳細な説明】
【技術分野】
【０００１】
本発明は、プッシャー型遊戯装置に備えられる回転移動体等に関する。
【背景技術】
【０００２】
プッシャー型の景品払出ゲーム機と称される遊戯装置がある。プッシャー型の景品払出ゲーム機は、回転するターンテーブル上に配置された景品を掬い上げるショベルと、固定テーブルと、固定テーブル上を景品落下口に近づき或いは遠ざかるように移動するスライドテーブルとを備えている。プレーヤが始動指示を入力すると、ショベルが自動的にターンテーブルから景品を掬い上げ、次いでプレーヤが落下指示を入力すると、ショベルは掬い上げた景品を固定テーブルの上に落下させる。固定テーブルに落された景品は、順次スライドテーブルによって押され、やがて固定テーブルから落下する。落下した景品が上手く景品落下口に入れば、プレーヤはその景品を獲得できる構成となっている。こうしたプッシャー型の景品払出ゲーム機は、ルールが解り易く誰でもが楽しめるゲームとして、特に女性や子供に人気がある。
【０００３】
プッシャー型の景品払出ゲーム機の中には、景品落下口近傍の上方に傾き可能に設けられた景品貯留部と、景品貯留部に連結されて固定テーブルに載置される錘部材を設けたものが知られている。具体的には、景品を貯留して景品落下口上方で吊るされたバケツの口と、固定テーブル上の錘部材とを紐で結ぶといった構成である。この場合、錘部材が固定テーブル上の景品と同様にして押されて落下すると、錘部材と連結している貯留部が錘部材の落下によって傾けられ、貯留していた景品を景品落下口に落下する仕組みとなっている。このようにボーナス用の景品を別途貯留し、特定の条件が揃うと払い出す構成とすることで、一度に大量の景品を獲得できるというプレーヤの射幸心を向上させ、ゲームをより面白くすることができる（例えば、特許文献１参照）。
【特許文献１】特許第３３７２５０８号公報
【発明の開示】
【発明が解決しようとする課題】
【０００４】
上述のような錘部材の固定テーブルからの落下により景品貯留部に貯留された景品を払い出す構成では、錘部材は、固定テーブル上の景品の玉突き状態により徐々に前方に押し出されて落下することとなる。しかし、例えば、固定テーブルに載置されている景品が錘部材に比較して見た目に小型且つ軽量と思われる場合には、プレーヤに、錘部材を景品で押して移動させることは困難であり、錘部材を落下させ難い印象を与える可能性があった。
【０００５】
本発明は上記事情に鑑みて為されたものであり、その目的とするところは、プッシャー型遊戯装置において、景品が貯留された景品貯留部に繋がれて固定テーブル上に載置される錘部材が固定テーブルから落下し易そうな印象、或いは固定テーブル上を移動し易そうな印象をプレーヤに与えることである。
【課題を解決するための手段】
【０００６】
上記課題を解決するための第１の発明は、
プッシャー型遊戯装置（例えば、図１の遊戯装置１）の景品貯留部（例えば、図３の景品ボックス４１）の係止部に繋がれて固定テーブル（例えば、図３の固定テーブル３１）上に載置され、押し出されて該固定テーブルから落下することにより、落下による重力が前記係止部に伝達されて前記係止部の係止を解き、前記景品貯留部に貯留されていた景品を落下させる回転移動体（例えば、図３〜６の回転移動体１００）であって、
複数の回転体（例えば、図４〜６の円板１１０）と、
前記複数の回転体を互いに連結する紐、ゴム又はコイルバネで成る連結部材（例えば、図４〜６の連結紐１４０）と、
を備え、前記複数の回転体が互いに作用し合いながら回転することで前記固定テーブル上を回転移動する回転移動体である。
【０００７】
この第１の発明によれば、プッシャー型遊戯装置において、景品貯留部の係止部に繋がれて固定テーブル上に載置される従来の錘部材に相当する回転移動体は、複数の回転体が紐、ゴム又はコイルバネでなる連結部材により遊びを持って連結されて成り、複数の回転体それぞれが互いに作用し合いながら回転する。つまり、従来の錘部材のように、押されて単に前方に向かって移動するのみではなく、プレーヤが予測し得ない面白みの有る動きが実現される。尚、回転体は、それぞれ単独での回転を妨げないように連結することが望ましい。
【０００８】
具体的には、例えば回転体の前後方向（回転による移動方向）への遊びに着目すると、一の回転体が回転すると、これに引っ張られて他の回転体が回転を開始するといった動きをする。また、回転体の左右方向への遊びに着目すると、回転体間の距離が変化しながら回転したり、互いに傾いた非平行な状態で回転したり、或いは垂直面に対して傾いた状態で回転したりする。このような要素が組み合わさることで、回転移動体全体として、例えば蛇行しながら前方へ回転して移動したり、或いは前後にゆらゆら揺れながら移動するといった、プレーヤが予測し得ない面白みの有る動きが実現される。
【０００９】
また、複数の回転体が連結して成る構造であるため、載置した状態が不安定であり、僅かな力で動き出し、容易に固定テーブル上を移動して落下しそうな印象をプレーヤに与えることができる。
【００１０】
第２の発明は、第１の発明の回転移動体であって、
前記連結部材に懸架された揺動物体（例えば、図４〜６の筒体１３０）を備えた回転移動体である。
【００１１】
この第２の発明によれば、回転移動体は、連結部材に揺動物体が懸架されて成る。回転体が回転すると、連結部材に懸架されている揺動物体が揺動するが、この揺動が回転移動体の動きに影響を与える。即ち、揺動物体の揺動に応じて当該揺動部材により連結部材にかかる力の向きが変化し、回転体の連結部材の連結位置にかかる力の向きが変化する。この連結位置にかかる力の向きの変化に応じて回転体の回転速度が変化し、その結果、回転移動体の動きに変化が生じる。尚、揺動物体の揺動による回転体の回転速度の変化の程度は揺動物体の重量に応じたものとなり、重量が重いほど大きくなる。また、回転体の回転に伴って揺動物体が揺動するといった、面白みの有る回転移動体の動きが実現される。
【００１２】
第３の発明は、第１又は第２の発明の回転移動体であって、
前記回転体同士の所定距離内の接近を規制する規制部材（例えば、図４〜６の筒体１３０）を備えた回転移動体である。
【００１３】
この第３の発明によれば、規制部材により回転体同士の所定距離内の接近が規制される。これにより、回転体同士が近接し略一体となって回転するといったことが防止される。
【００１４】
第４の発明は、第３の発明の回転移動体であって、
前記規制部材は筒体で成り、
前記規制部材に前記連結部材が内挿され、前記回転体間に前記規制部材が位置することで前記回転体同士の接近が規制される回転移動体である。
【００１５】
この第４の発明によれば、筒体である規制部材に連結部材が内挿されて回転体間に位置していることで、回転体同士の接近が規制される。つまり、少なくとも筒体の軸方向の長さ以上の距離をおくように、回転体同士の接近が規制される。
【００１６】
第５の発明は、第３又は第４の発明の回転移動体であって、
前記規制部材は筒体で成り、
前記回転体それぞれの対向面に設けられ、前記規制部材に内挿された棒状部材（例えば、図４〜６の細管１２０）を備え、
前記棒状部材は、前記連結部材が伸張した状態であっても少なくとも一部が前記規制部材から外れない長さで成る回転移動体である。
【００１７】
この第５の発明によれば、筒体である規制部材に、回転体それぞれの対向面に設けられた棒状部材が内挿されているとともに、連結部材が伸張した状態であっても筒体から棒状部材が外れない。つまり、回転体間に位置する筒体により、少なくともこの筒体の軸方向の長さ以上の距離をおくよう、回転体同士が接近することが規制される。また、例えば筒体に棒状部材を遊貫させた構成とすることで、回転体の回転に伴って筒体が棒状部材に支持されて揺動するといった、回転移動体の動きに面白みの有る変化を与えることができる。
【００１８】
第６の発明は、第５の発明の回転移動体であって、
筒体である前記規制部材は、内径が、前記対向面の前記棒状部材の設置位置から当該対向面の端部までの最短距離より長い大きさで成る回転移動体である。
【００１９】
この第６の発明によれば、規制部材である筒体の内径は、回転体の棒状部材の設置位置から端部までの最短距離より長い。これにより、回転体が回転すると、筒体が内周面で棒状部材に支持されて揺動した状態と固定テーブルの上面に当接して棒状部材の支持から離れた状態とを繰り返しながら回転移動するといった、面白みの有る回転移動体の動きが実現される。
【００２０】
第７の発明は、第１〜第６の何れかの発明の回転移動体であって、
前記回転体は、平面視円状又は多角形状の板体である回転移動体である。
【００２１】
この第７の発明によれば、平面視円状又は多角形状の板体を、例えば略平行に連結して回転移動体が構成される。特に、多角形状の回転体の場合、回転体がかくかくとした回転をすることになり、見た目の動きの面白さが更に増す。
【００２２】
第８の発明は、
所定の景品貯留部（例えば、図３の景品ボックス４１）と、
前記景品貯留部の係止部に繋がれ、固定テーブル（例えば、図３の固定テーブル３１）上に載置された第１〜第７の何れかの発明の回転移動体（例えば、図３〜６の回転移動体１００）と、
を備えたプッシャー型遊戯装置（例えば、図１の遊戯装置１）である。
【００２３】
この第８の発明によれば、第１〜第７の何れかの発明の効果を有するプッシャー型遊戯装置が実現される。
【発明を実施するための最良の形態】
【００２４】
以下、図面を参照して、本発明の好適な実施形態を説明する。
【００２５】
［遊戯装置］
図１は、本実施形態における遊戯装置１の外観図であり、図２は、図１のＡ−Ａ´矢視断面図である。この遊戯装置１は、いわゆるプッシャー型と呼ばれ、主にゲームセンタ等の店舗に設置される業務用の遊戯装置である。
【００２６】
図１，２によれば、遊戯装置１は、主に、多数の景品Ｐを配置するターンテーブル１０と、ターンテーブル１０上に配置された景品Ｐを掬い上げる掬い上げ装置２０と、掬い上げ装置２０の操作スイッチ２２と、掬い上げ装置２０により掬い上げた景品Ｐを載置し、押し出して景品落下口６１に落下させるプッシャーテーブル部３０と、所定の条件が達成されたときにボーナス用の景品Ｐを払い出す景品払出装置４０と、遊戯装置１を統合的に制御する制御装置５０とを備えて構成される。遊戯装置１の筐体側面上部は透明なアクリル板で形成された透明カバー６５で覆われ、遊戯装置１内部を視認可能に構成されている。
【００２７】
また、遊戯装置１は、平面視略六角形の形状をなしており、略六角形の各辺でプレーヤが遊ぶためのステーションＳＴが６つ備えられている。ステーションＳＴ毎に、掬い上げ装置２０と、操作スイッチ２２と、プッシャーテーブル部３０と、景品払出装置４０と、景品落下口６１に連通して景品Ｐを取り出すための景品払出口６２とが備えられており、６人のプレーヤが各ステーションＳＴにおいて同時にプレイを楽しむことができる。
【００２８】
ここで、以下の説明における方向を次のように定める。即ち、上下左右方向を図１に向かって上下左右の方向とし、また、奥行き方向は、各ステーションＳＴから遊戯装置１の中心に向かって前後（手前／奥）の方向とする。即ち、各ステーションＳＴでプレイするプレーヤの視点に立った上下左右及び前後の方向とする。
【００２９】
ターンテーブル１０は、上向きに開口する環状溝を形成して有し、溝部分の底上面に多数の景品Ｐを配置するように構成されている。そして、ターンテーブル１０は、遊戯装置１の略中心を軸中心として、遊戯装置１内を一定方向にゆっくりと回転する。
【００３０】
掬い上げ装置２０は、２本のショベルアームと、景品Ｐを掬い上げ可能な曲面をなすショベルとを有して構成され、２本のショベルアームとショベルとによって所定のリンク機構が形成されている。そして、操作スイッチ２２からの操作信号に応じてショベルアームを駆動し、ショベルでターンテーブル１０上の景品を掬い上げ、掬い上げた景品Ｐをプッシャーテーブル部３０上に落下させるといった一連の掬い上げ動作を、制御装置５０による制御に従って実行する。
【００３１】
プッシャーテーブル部３０は、固定テーブル３１と、スライドテーブル３２とを有する。固定テーブル３１は、ターンテーブル１０の上方において装置中央から外方に向けて延出する平板であり、その前端部は景品落下口６１の上方に達している。スライドテーブル３２は、固定テーブル３１の上面に沿って前後方向に往復スライド移動する平板である。スライドテーブル３２の往復スライド運動により、スライドテーブル３２の前面に押されて固定テーブル３１上に載置されている景品Ｐが移動する。固定テーブル３１上に載置されている景品Ｐの密度が高いと、景品Ｐが玉突き状態となって固定テーブル３１の前端部から景品Ｐが景品落下口６１に落下し、景品払出口６２から景品Ｐが払い出される。一方、固定テーブル３１上に載置されている景品Ｐの密度が低いと、固定テーブル３１上の隙間を埋めるように景品Ｐが移動することとなる。
【００３２】
景品払出装置４０は、ボーナス用の景品Ｐが貯留された景品貯留部である景品ボックス４１と、景品ボックス４１を一端部で支持するボックスアーム４４とを有して構成されている。景品払出装置４０は、ボックスアーム４４が他端部を軸中心として回転することで、景品ボックス４１の位置を変更可能となっている。即ち、ボックスアーム４４がほぼ起立し、景品ボックス４１が装置中央上方に位置する状態と、ボックスアーム４４が手前側（プレーヤ側）に傾斜し、景品ボックス４１が景品落下口６１の上方に位置する状態とを遷移することができるとともに、かかる状態間の任意の位置でボックスアーム４４を止めることもできる。
【００３３】
図３は、図２のＢ−Ｂ´矢視要部断面図であり、プレイ時の状態を示している。図３に示すように、プレイ時には、景品払出装置４０のボックスアーム４４が手前側（プレーヤ側）に傾斜し、景品ボックス４１が景品落下口６１の上方に位置している。プレーヤは、筐体側面の透明カバー６５を介して景品ボックス４１内の景品Ｐを目前に見ることができるようになっている。また、固定テーブル３１上には、景品ボックス４１に繋がれた回転移動体１００が載置されている。
【００３４】
景品ボックス４１は、ボックスアーム４４が傾斜した状態で手前側に向けて開口した本体部４２と、本体部４２の下部を塞ぐ底部４３とから成る。底部４３は、薄い平板であり、奥側の固定端が水平軸４３ａにより本体部４２に回動自在に固定されているとともに、手前側の開放端に設けられた係止部が本体部４２に設けられた被係止部と係止して、略水平状態に保たれている。この略水平状態の底部４３の上面に景品Ｐが載置されて、景品ボックス４１内に景品Ｐが貯留されている。そして、底部４３の係止部と本体部４２の被係止部との係止が解除されると、水平軸４３ａを軸中心として底部４３が下方へ開き、景品ボックス４１内の景品Ｐが下方に落下する。
【００３５】
回転移動体１００は、吊下げ紐２００により景品ボックス４１の底部４３の開放端に繋がれて固定テーブル３１上に載置されている。吊下げ紐２００は、回転移動体１００を固定テーブル３１に載置した状態で多少緩む程度の長さとなっている。回転移動体１００は、固定テーブル３１上で景品Ｐに押されて景品落下口６１の方向に徐々に回転しながら移動する。回転移動体１００が固定テーブル３１の前端部から落下すると、この落下による重力が吊下げ紐２００を介して底部４３の開放端を下方に引っ張ることで、景品ボックス４１の底部４３の係止部と本体部４２の被係止部との係止が解除されて底部４３が下方に開き、景品ボックス４１内の景品Ｐが景品落下口６１に向かって落下するようになっている。本実施形態は、この回転移動体１００に特徴がある。以下、回転移動体１００について詳細に説明する。
【００３６】
［回転移動体］
図４は、回転移動体１００の外観斜視図であり、図５は分解斜視図である。また、図６（ａ）は、同図（ｂ）のＣ−Ｃ´矢視断面図であり、同図（ｂ）は回転移動体１００の側面図である。図４〜６に示すように、回転移動体１００は、回転体である２枚の円板１１０と、棒状部材である６本の細管１２０と、規制部材である３本の筒体１３０とを備えて構成される。但し、円板１１０、細管１２０、筒体１３０は、それぞれ同一材料により同一形状且つ同一サイズに形成されていることとする。
【００３７】
円板１１０は、平面視円形状の平板であり、略中心位置に吊下げ紐２００を通すための中心孔１１１が形成されているとともに、中心位置からほぼ同距離であって中心角をほぼ三等分する位置に、細管１２０を差込み固定するための３つの差込孔１１２が形成されている。細管１２０は、断面円形状の細い管体である。
【００３８】
円板１１０の各差込孔１１２には、他方の円板１１０との対向面側に細管１２０が差込み固定される。即ち、円板１１０ａの差込孔１１２ａに細管１２０ａが差込み固定され、差込孔１１２ｂに細管１２０ｂが差込み固定され、差込孔１１２ｃに細管１２０ｃが差込み固定される。また、円板１１０ｂの差込孔１１２ｄに細管１２０ｄが差込み固定され、差込孔１１２ｅに細管１２０ｅが差込み固定され、差込孔１１２ｆに細管１２０ｆが差し込み固定される。
【００３９】
筒体１３０は、断面円形状の円筒体であり、内径が、細管１２０の外径より充分長く、且つ円板１１０の差込孔１１２（細管１２０の固定位置）から外周縁までの最短距離より長く形成されている。また、筒体１３０は、両端から互いに対向する２本の細管１２０が挿入されて、２枚の円板１１０の間に配置されている。即ち、筒体１３０ａの両端から細管１２０ａ，１２０ｄが挿入され、筒体１３０ｂの両端から細管１２０ｂ，１２０ｅが挿入され、筒体１３０ｃの両端から細管１２０ｃ，１２０ｆが挿入されている。筒体１３０の内径は細管１２０の外径より充分大きいため、細管１２０の端部が筒体１３０内に遊貫された状態となっている。
【００４０】
そして、１本の筒体１３０と当該筒体１３０に挿入された２本の細管１２０とを１組とし、これら組毎に連結紐１４０が通されることで、２枚の円板１１０が略平行状態で連結される。連結紐１４０の両端部は、所定の留具１４２によって差込孔１１２から抜け落ちないようになっている。また、連結紐１４０の長さは、連結紐１４０が最も伸びた状態、即ち円板１１０を互いに最も離した状態で、筒体１３０の両端部からこの筒体１３０に挿入されている細管１２０が外れない長さとなっている。
【００４１】
つまり、回転移動体１００は、２枚の円板１１０が連結紐１４０により遊びを持って連結されているとともに、筒体１３０により２枚の円板１１０が当該筒体１３０の軸方向の長さ未満に接近することが規制されている。
【００４２】
このように構成される回転移動体１００は、各円板１１０の中心孔１１１に吊下げ紐２００が通され、吊下げ紐２００の両端部が景品ボックス４１の底部４３の開放端に結び付けられている。
【００４３】
そして、回転移動体１００は、円板１１０が起立した状態で固定テーブル３１に載置される。このとき、筒体１３０は、内挿されている細管１２０に内周面で当接して揺動可能に支持された状態、或いは、筒体１３０の内径が円板１１０の差込孔１１２から外周縁までの最短距離より長く形成されているため、外周面で載置面に当接して支持された状態となる。即ち、図６においては、筒体１３０ａは内周面に細管１２０ａ，１２０ｄが当接して揺動可能に支持された状態にあり、筒体１３０ｂ，１３０ｃは外周面で載置面（固定テーブル３１の上面）に当接して支持された状態にある。
【００４４】
次に、回転移動体１００の動作を説明する。
回転移動体１００は、円板１１０が起立した状態で固定テーブル３１に載置される。そして、景品Ｐに押されると、円板１１０同士が互いに作用し合いながら回転することで、回転移動体１００は回転しながら移動する。このとき、回転移動体１００は、主に、（１）円板１１０の連結の遊び、（２）筒体１３０の揺動、の２つの理由（要素）により、画一的な動きではなく予測し難い不安定な動きをする。
【００４５】
ここで、回転移動体１００の方向を次のように定める。即ち、図４において、円板１１０が載置面に対して略垂直に載置されたとき、水平方向であって円板１１０の径方向を前後方向とし、水平方向であって円板１１０に垂直な方向を左右方向とする。
【００４６】
先ず、（１）円板１１０の連結の遊びについて説明する。
２枚の円板１１０は遊びを持って連結されているため、その相対位置関係が容易に変化する。その結果、回転移動体１００としての動きに変化が生じる。
【００４７】
（１−１）前後方向の遊び
２枚の円板１１０の連結には、前後左右方向への遊びがあるが、説明の簡単化のため、先ず、前後方向への遊びのみに着目する。即ち、左右方向の遊びは考慮せず、２枚の円板１１０の間の距離は一定に保たれることとする。
【００４８】
図７は、２枚の円板１１０の前後方向への連結の遊びを説明するための図である。図中上側は回転移動体１００の概略側面図であり、図中下側は概略平面図である。但し、図中左方向を後方向、右方向を前方向とする。
【００４９】
先ず、同図（ａ）に示すように、回転移動体１００が静止している。この状態では、２枚の円板１１０ａ，１１０ｂが平行且つ前後方向の位置が一致（即ち、側面方向から見た中央位置Ｏが一致）している。この状態で、回転移動体１００の後方から一方の円板１１０ａに力Ｆが与えられると、同図（ｂ）に示すように、円板１１０ａが前方向（矢印ａの方向）へ回転を開始する。このとき、他方の円板１１０ｂは停止したままである。
【００５０】
そして、同図（ｃ）に示すように、２枚の円板１１０ａ，１１０ｂの前後方向の位置の差（中心位置Ｏの位置の差）が所定距離Δｘに達するまで円板１１０ａが回転すると、円板１１０ａの回転に引っ張られて他方の円板１１０ｂが前方向（矢印ｂの方向）への回転を開始し、回転移動体１００が前方向への移動を開始する。ここで、所定距離Δｘは、２枚の円板１１０ａ，１１０ｂの前後方向の位置の差の最大値であり、２枚の円板１１０ａ，１１０ｂを連結する連結紐１４０が伸びきった状態に相当する。
【００５１】
（１−２）左右方向の遊び
次に、左右方向への遊びに着目する。即ち、前後方向への遊びは考慮せず、２枚の円板１１０の前後方向の位置が一致（中央位置Ｏが一致）していることとする。
【００５２】
図８は、２枚の円板１１０の左右方向への連結の遊びを説明するための図である。図中上側は回転移動体１００の概略平面図であり、図中下側は概略正面図である。
【００５３】
先ず、同図（ａ）に示すように、２枚の円板１１０が平行且つ前後方向の位置が一致した状態で、回転移動体１００が静止している。この状態で、斜め後方から一方の円板１１０ａに力Ｆが与えられると、同図（ｂ）に示すように、円板１１０ａが、他方の円板１１０ｂに対して傾いた状態で略前方向（矢印ｃの方向）への回転を開始する。或いは、同図（ｃ）に示すように、円板１１０ａが、載置面の垂直面に対して傾いた状態で略前方向（矢印ｄの方向）への回転を開始する。
【００５４】
それとともに、回転する円板１１０ａに引っ張られて他方の円板１１０ｂが略前方向への回転を開始し、これにより、回転移動体１００が略前方向へ回転しながら移動する。このとき、円板１１０ａ，１１０ｂが互いに非平行、或いは載置面の垂直面に対して傾いた状態で回転するため、回転移動体１００は蛇行しながら略前方向に移動する。
【００５５】
次に、（２）筒体１３０の揺動について説明する。尚、回転移動体１００は３本の筒体１３０を備えているが、何れについても同様の作用が生じるため、１本の筒体１３０に着目して説明する。
【００５６】
図９は、筒体１３０の揺動が回転移動体１００の動きに与える影響を説明するための図であり、回転移動体１００の概略側面図である。但し、２枚の円板１１０の連結の遊びは考慮せず、２枚の円板１１０が所定間隔をおいて固定的に連結されていることとする。また、同図中、左方向を後方向とし、右方向を前方向として説明する。
【００５７】
先ず、同図（ａ）に示す回転移動体１００の静止状態では、筒体１３０は内周面で細管１２０に支持されて静止している。このとき、筒体１３０の重量による力が鉛直下方向に細管１２０にかかり、円板１１０の細管１２０の固定位置には、筒体１３０の重量による力が鉛直下方向にかかっている。
【００５８】
この状態で、後方向から回転移動体１００に力Ｆが与えられると、同図（ｂ）に示すように、円板１１０が前方向（矢印ｅの方向）への回転を開始し、回転移動体１００が前方向へ回転しながら移動する。すると、静止していた筒体１３０は、円板１１０の回転によって位置が変化する細管１２０に引っ張られ、慣性の法則に従って前後方向（矢印ｆの方向）への揺動を開始する。
【００５９】
筒体１３０が揺動すると、筒体１３０により細管１２０にかかる力の向きが変化し、円板１１０の細管１２０の固定位置にかかる力の向きが変化する。この力の向きの変化が、円板１１０の回転に影響を与える。即ち、細管１２０の固定位置にかかる力のうち、円板１１０の回転方向と同方向の成分により円板１１０の回転速度が加速され、回転方向と逆方向の成分により減速される。
【００６０】
そして、同図（ｃ）に示すように、筒体１３０が載置面に当接して支持される状態に達すると、筒体１３０による力は細管１２０にかからない。つまり、筒体１３０による力が円板１１０の細管１２０の固定位置にかからないため、円板１１０は筒体１３０の影響を受けない。
【００６１】
その後、更に円板１１０が回転して筒体１３０が載置面から離れると、再度、筒体１３０が細管１２０に支持されて前後に揺動する。すると、同図（ｂ）の状態と同様に、筒体１３０により細管１２０にかかる力の向き、即ち円板１１０の細管１２０の固定位置にかかる力の向きが変化し、この力の向きの変化によって円板１１０の回転速度が変化する。
【００６２】
ここで、筒体１３０の揺動による円板１１０の回転速度の変化は、筒体１３０の重量によって異なり、重量が重いほど、回転速度の変化の程度が大きくなる。尚、実際には、円板１１０の三箇所の細管１２０の固定位置それぞれに筒体１３０の重量による力がかかり、各箇所での力のかかり具合のバランスに応じて円板１１０の回転速度が変化する。そこで、３本の筒体１３０それぞれの重量を異ならせてこの力のかかり具合のバランスを崩すことで、回転速度の変化を更に予測し難くさせることが可能となる。
【００６３】
このような主に２つの理由（２枚の円板１１０の連結の遊び、及び筒体１３０の揺動）の組み合わせにより、回転移動体１００は、従来の錘部材とは異なる予測し難い動きをする。具体的には、例えば、２枚の円板１１０が互いに非平行に、或いは傾きながら回転したり、蛇行しながら回転したり、回転速度が変化したり、筒体１３０が固定テーブル３１の上面（載置面）に当接したり或いは離れたりといった、滑らかでない不安定な動きをする。
【００６４】
［作用・効果］
以上、本実施形態によれば、遊戯装置１において、ボーナス用の景品Ｐが貯留された景品ボックス４１の底部４３の係止部に繋がれ、固定テーブル３１上に載置される回転移動体１００は、２枚の円板１１０が、各円板１１０の他方の円板１１０との対向面に固定された細管１２０それぞれに連結紐１４０が通されることで、遊びを持って連結されている。これにより、例えば、一方の円板１１０の回転に引っ張られて他方の円板１１０が回転したり、２枚の円板１１０が非平行或いは傾いた状態で回転したり、蛇行したりといった、従来の錘部材とは異なる、予測し難い不安定な動きが実現される。
【００６５】
また、円板１１０を起立させた状態で載置するため、回転移動体１００が安定せず、前後にゆらゆらした動きをするとともに、さほど強い力を与えなくとも容易に回転して移動しそうな印象をプレーヤに与え得る。更に、円板１１０の回転に伴って、筒体１３０が細管１２０に支持されて揺動することにより、円板１１０の回転速度が変化して回転移動体１００の動きが変化するとともに、回転移動体１００の見た目の動きに変化を与えることができる。
【００６６】
［変形例］
尚、本発明を適用可能な実施形態は上述した実施形態に限定されることなく、本発明の趣旨を逸脱しない範囲で適宜変更可能なのは勿論である。
【００６７】
（Ａ）回転体の形状
例えば、上述した実施形態では、回転体を円板１１０としたが、楕円形状や多角形等の他の形状の板体としても良い。この場合、板体の形状は、載置面に対して略垂直に配置した状態で回転可能であれば良く、具体的には、多角形状であれば角数が多く、楕円形状であれば長径と短径との比が１に近いほうが望ましい。更に、板体ではなく、球体や半球体等の物体としても良い。
【００６８】
図１０は、円板１１０を十二角形の平板とした回転移動体１００Ａを示す図である。同図（ａ）は、同図（ｂ）のＤ−Ｄ´矢視断面図であり、同図（ｂ）は、回転移動体１００Ａの側面図である。同図に示すように、回転移動体１００Ａは、２枚の平面視十二角形の板体１１５が、実施形態の回転移動体１００と同様に連結されて成る。
【００６９】
（Ｂ）円板１１０の枚数
また、上述した実施形態では、２枚の円板１１０を連結することとしたが、３枚以上の円板１１０を連結することとしても良い。
【００７０】
図１１は、３枚の円板１１０を連結して成る回転移動体１００Ｂを示す図である。同図（ａ）は、同図（ｂ）のＥ−Ｅ´矢視断面図であり、同図（ｂ）は、回転移動体１００Ｂの側面図である。同図によれば、回転移動体１００Ｂは、３枚の円板１１０ａ〜１１０ｃが略平行に連結されて成る。
【００７１】
即ち、円板１１０ａには、円板１１０ｂとの対向面側に細管１２０ａ〜１２０ｃが各差込孔１１２に差込み固定されている。中央の円板１１０ｂには、軸方向の長さが細管１２０ａ〜１２０ｃ，１２０ｇ〜１２０ｉの約２倍である細管１２０ｄ〜１２０ｆが、両面に貫通して各差込孔１１２に差込み固定されている。円板１１０ｃには、円板１１０ｂとの対向面側に細管１２０ｇ〜１２０ｉが各差込孔１１２に差込み固定されている。
【００７２】
また、円板１１０ａ，１１０ｂの間に、両端から細管１２０ａ，１２０ｄが内挿された筒体１３０ａと、細管１２０ｂ，１２０ｅが内挿された筒体１３０ｂと、細管１２０ｃ，１２０ｆが内挿された筒体１３０ｃとが配置されている。円板１１０ｂ，１１０ｃの間に、両端から細管１２０ｄ，１２０ｇが内挿された筒体１３０ｄと、細管１２０ｅ，１２０ｈが内挿された筒体１３０ｅと、細管１２０ｆ，１２０ｉが内挿された筒体１３０ｆとが配置されている。
【００７３】
そして、細管１２０ａ，１２０ｄ，１２０ｇ及び筒体１３０ａ，１３０ｄに連結紐１４０が通され、細管１２０ｂ，１２０ｅ，１２０ｈ及び筒体１３０ｂ，１３０ｅに連結紐１４０が通され、細管１２０ｃ，１２０ｆ，１２０ｉ及び筒体１３０ｃ，１３０ｆに連結紐１４０が通されることで、２枚の円板１１０ａ〜１１０ｃが遊びを持って連結されているとともに、筒体１３０ａ〜１３０ｆにより円板１１０同士の接近が規制されている。
【００７４】
（Ｃ）吊下げ紐２００の取り付け位置
また、上述した実施形態では、吊下げ紐２００を通すための中心孔１１１が円板１１０の中心位置に形成されていることとしたが、他の位置でも構わない。
【００７５】
（Ｄ）細管１２０の固定位置
また、上述した実施形態では、細管１２０が差込み固定される差込孔１１２が円板１１０の中心位置からほぼ同一距離且つ中心角を等分する位置としたが、他の位置でも構わない。この場合、円板１１０における細管１２０の固定位置、即ち筒体１３０による力がかかる位置が均等にならない。これにより、筒体１３０の揺動による円板１１０の回転速度の変化が不均一となり、回転移動体１００の動きに更なる変化を与えることができる。
【００７６】
（Ｅ）円板１１０の連結箇所数
上述した実施形態では、円板１１０の三箇所に細管１２０を固定し、それぞれに連結紐１４０を通すことで２枚の円板１１０を連結した、即ち三箇所で連結することとしたが、四箇所以上で連結することとしても良い。
【００７７】
（Ｆ）円板１１０の連結
また、上述した実施形態では、各円板１１０に差込み固定した細管１２０に連結紐１４０を通し、遊びを持たせて２枚の円板１１０を連結したが、固定的に連結することとしても良い。
【００７８】
図１２は、２枚の円板１１０を固定的に連結した回転移動体１００Ｃを示す図である。同図（ａ）は、同図（ｂ）のＦ−Ｆ´矢視断面図であり、同図（ｂ）は、回転移動体１００Ｃの側面図である。同図によれば、３本の細棒１２５それぞれが、筒体１３０ａ〜１３０ｃに内挿（遊貫）され、その両端が各円板１１０の差込孔１１２に差込み固定されて、２枚の円板１１０が固定的に連結されている。但し、細棒１２５の軸方向の長さは、筒体１３０の軸方向の長さより長い。この場合、円板１１０の回転に伴う筒体１３０の揺動が円板１１０の回転速度を変化させることで、回転移動体１００Ｃの動きに変化が生じる。
【００７９】
また、上述した実施形態では、各円板１１０に固定された細管１２０に連結紐１４０を通すことで、遊びを持たせて２枚の円板１１０を連結することとしたが、連結紐１４０ではなく、紐状のゴムやコイルバネ等によって連結することとしても良い。
【００８０】
図１３は、２枚の円板１１０をコイルバネで連結した回転移動体の鉛直断面図である。同図（ａ）では、各円板１１０の対向面に固定された各細棒１２６の端部が、コイルバネ１４５の両端に固定されることで、２枚の円板１１０が連結されている。また、同図（ｂ）は、細棒１２６を用いずに、各円板１１０の複数の対向位置でコイルバネ１４６の両端が固定されることで、２枚の円板１１０が連結されている。
【００８１】
また、上述した実施形態では、２枚の円板１１０を３本の連結紐１４０で連結することとしたが、吊下げ紐２００により連結することとしても良い。即ち、吊下げ紐２００の途中であって２枚の円板１１０それぞれの外側の位置に、例えば所定の留具を設けることで、円板１１０が抜けないようにする。このとき、吊下げ紐２００の２つの留め位置の間の長さは、円板１１０を最も離した状態で筒体１３０から内挿されている細管１２０が外れない程度の長さとする。
【００８２】
（Ｇ）筒体１３０及び細管１２０
また、上述した実施形態では、筒体１３０及び細管１２０は断面円形状の円筒であるとしたが、断面が楕円形状や多角形状といった他の形状であっても良い。
【００８３】
また、３本の筒体１３０が全て同一形状且つ同サイズである、即ち重量がほぼ等しいこととしたが、筒体１３０毎に異なることとして良い。これにより、円板１１０の各細管１２０の固定位置に筒体１３０によりかかる力を異ならせ、円板１１０の回転速度の変化を不均一にさせることで、回転移動体１００の動きに一層の変化を与えることが可能となる。
【００８４】
（Ｈ）利用方法
上述した実施形態では、回転移動体１００を、２枚の円板１１０が起立した向きで固定テーブル３１上に載置することとしたが、図１４（ａ）に示すように、円板１１０が水平な向きで載置することとしても良い。また、同図（ｂ）に示すように、２つの回転移動体１００を、円板１１０を水平にして重ねて載置しても良い。更に、同図（ｃ）に示すように、回転移動体１００の円板１１０の上面に景品Ｐを載置し、景品Ｐのディスプレイ台を兼ねても良い。
【図面の簡単な説明】
【００８５】
【図１】遊戯装置の外観例。
【図２】遊戯装置の平面図。
【図３】１つのステーションの概略垂直断面図。
【図４】回転移動体の斜視図。
【図５】回転移動体の分解図。
【図６】回転移動体の垂直断面図及び側面図。
【図７】円板の前後方向への遊びによる回転移動体の動きの説明図。
【図８】円板の左右方向への遊びによる回転移動体の動きの説明図。
【図９】筒体の揺動による回転移動体の動きの説明図。
【図１０】円板を十二角形の板体とした回転移動体の垂直断面図及び側面図。
【図１１】３枚の円板を連結した回転移動体の垂直断面図及び側面図。
【図１２】円板を固定的に連結した回転移動体の垂直断面図及び側面図。
【図１３】円板をコイルバネで連結した回転移動体の垂直断面図。
【図１４】円板を水平にした回転移動体の載置例。
【符号の説明】
【００８６】
１  遊戯装置
１０  ターンテーブル
２０  掬い上げ装置
３０  プッシャーテーブル部
３１  固定テーブル
３２  スライドテーブル
４０  景品払出装置
４１  景品ボックス
４２  本体部
４３  底部
４４  ボックスアーム
６１  景品落下口
６２  景品払出口
１００  回転移動体
１１０  円板
１１１  中心孔
１１２  差込孔
１２０  細管
１３０  筒体
１４０  連結紐
２００  吊下げ紐
【図１】
2007215664.tif 000003
【図２】
2007215664.tif 000004
【図３】
2007215664.tif 000005
【図４】
2007215664.tif 000006
【図５】
2007215664.tif 000007
【図６】
2007215664.tif 000008
【図７】
2007215664.tif 000009
【図８】
2007215664.tif 000010
【図９】
2007215664.tif 000011
【図１０】
2007215664.tif 000012
【図１１】
2007215664.tif 000013
【図１２】
2007215664.tif 000014
【図１３】
2007215664.tif 000015
【図１４】
2007215664.tif 000016